(57)【特許請求の範囲】
【請求項１】
運動しないように固定されたトラバース固定壁１２と、この固定壁１２ともに回転しうるように接合され、かつ、この固定壁に対して軸方向に運動するように設けられたピストン１３との２個の要素の間に、軸方向に配設された少なくとも１個の摩擦ライナー１１を備え、前記２個の要素１２，１３が、タング３０を介して、ともに回転するように接続され、各タングは、長手方向にアセンブリの円周上の弦方向に沿って伸びており、タングの一方の端は、すべてのタング３０に共通である駆動リングあるいはアタッチメントリングである中間部材３２を介して、前記２個の要素１２，１３の中の第１要素１２に結合され、該中間部材は、前記第１要素に取り付けられており、かつ、各タング３０の他方の端３０Ｂは、第１部分３６Ａ及び第２部分３６Ｂから構成されている締め付け手段３６を用いて、前記要素の中の第２要素１３に取り付けられており、各締め付け手段３６の第１部分３６Ａが、タング３０の他方の端３０Ｂを固定し、かつ、タングの他方の端に設けられた対応する通孔３７を通して伸びている締め付けシャンク４０により、軸方向に貫通して伸びている頭部４１を有し、したがって、この締め付けシャンクは、前記第２要素１３に接触するように形成されている外側面５２（外側結合側面と称する）に対して、軸方向に把持されるタングの内側面５４を軸方向に貫通して伸びている流体継ぎ手装置用ロックアップクラッチにおいて、摩擦ウェッジ６０を、対応する締め付け手段３６の第１部分３６Ａのシャンクが貫通し、各タング３０の内側面５４と第２要素１３の外側結合側面５２との間に軸方向に挿入されており、かつ、各摩擦ウェッジ６０の内側面６４は、第２要素１３の外側面５２に対して、軸方向にしめつけられており、その表面が粗面であることを特徴とする流体継ぎ手装置用ロックアップクラッチ。
【請求項２】
各ウェッジにおいて、表面の粗面が、関連する締め付けシャンク４０が貫通する摩擦ウェッジ６０の通孔６８を取り囲んでいることを特徴とする請求項１記載のクラッチ。
【請求項３】
各摩擦ウェッジ６０が対応するタング３０の他方の端に取り付けられていることを特徴とする請求項１記載のクラッチ。
【請求項４】
前記各締め付け手段３６の第１部分３６Ａが、締め付けシャンク４０を摩擦ウェッジの通孔６８に強制嵌め込みすることにより、関連する摩擦ウェッジ６０に取付けられていることを特徴とする請求項３記載のクラッチ。
【請求項５】
各タング３０の他方の端３０Ｂが、締め付け手段の第１部分である締め付けシャンク４０を、タング３０の他方の端の対応する通孔３７に強制嵌め込みすることにより、関連する締め付け手段の第１部分３６Ａが取付けられていることを特徴とする請求項４記載のクラッチ。
【請求項６】
各摩擦ウェッジ６０が、前記粗い内側面６４を有する座金部を備え、この座金部からインデックスアーム７０が、半径方向に伸長して、ほぼ同じ平面内で突き出ており、かつこのインデックスアーム７０が、関連するタング３０の内側面に近接しており、その自由端近くに、２個の相対するインデックス耳７２を有し、これらの各耳が、２個の長手方向に相対するタング３０の端７４の一方に、軸方向に噛合していることを特徴とする請求項１記載のクラッチ。
【請求項７】
各摩擦ウェッジのインデックスアーム７０が、関連するタング３０内側面に対して鋭角に取り付けられていることを特徴とする請求項６記載のクラッチ。
【請求項８】
前記第１要素１２が、クラッチのケーシング要素１４のトラバース固定壁であり、かつ、前記第２要素が、ピストンであることを特徴とする請求項１記載のクラッチ。
【発明の詳細な説明】
【０００１】
【発明の属する技術分野】
本発明は、車両に主として搭載される流体動力継手装置（以下、流体継手と称する）のロックアップクラッチに関する。
【０００２】
また、本発明は、流体継手装置用ロックアップクラッチに関し、このクラッチは、少なくとも１個の摩擦ライナーを有し、この摩擦ライナーは、運動方向に対して固定されたトラバース壁と、該壁とともに回転しうるように接続され、固定壁方向に対して軸方向に運動できるように搭載されたピストンから成る２個の要素の間に、軸方向に配設されている。
【０００３】
【従来の技術】
このようなロックアップクラッチは、フランス国特許公開第２７２６６２０公報により公知である。この明細書では、２つの要素は、タングを介して、回転しうるように接続され、各タングは、アセンブリの円周上の弦方向に沿って長手方向に十分に伸びている。タングの一方の端は、すべてのタングに共通な駆動リングあるいはアタッチメントリングを介して、前記２つの要素の１番目の要素に結合されており、アタッチメントリングは、前記１番目の要素に取り付けられている。
【０００４】
タングは、コントロールチャンバ内に取り付けられ、各タングの他方の端は、複数の締めつけ手段の中の対応する１つにより、この要素の中の第２要素に取り付けられている。
各締めつけ手段は、当該タングの他方の端に適用される第１部分を有し、タングの他方の端に設けられた対応する通孔を通って伸びている締付シャンクにより、軸方向に貫通している頭部を有する。これにより、シャンクは、軸方向にタングの側面（以下、内側面と称する）を貫通して、軸方向に伸び、この内側面は、前記第２要素に接触するように形成された結合側面（以下、外側結合面と称する）と結合して、軸方向に把持される。
【０００５】
上記のフランス国特許公報で提案されている締付手段には、第２要素の他方の側に第２部分があり、これは、第１部分と係合している。これらの締付け手段は、タングを、ピストン（このフランス国の特許出願では、ピストンが第２要素を構成している）に取付けるために使用されており、この締付け手段により、軸方向に共通な方向にコンポネントを組み立てる単純な作業により、アセンブリを簡単に実施し、かつアセンブリのコンポネントの数を減らすことができる。
まず第１に、ピストンは、タングの他端により、締付手段の第１部分で連結され、引き続き、締付け手段の第２部分は、非常に簡単に配置できる。第２部分を、対応する第１部分と係合するためには、ピストンの片側だけの作業ですむ。
【０００６】
【発明が解決しようとする課題】
しかし、これらのアセンブリおよび締付け作業を可能にするには、締付け手段の第１部分の各シャンクのボディと、シャンクボディが貫通する軸方向のピストンの孔との間に、半径方向にすきまを設けることが必要である。第１部分と第２部分の係合により、軸方向の継ぎあるいは把持に影響を及ぼすが、この影響により、予期せずに生ずるピストンの変位が、半径方向の平面においてシャンクとの関連で発生し、悪影響を与える恐れがある。
【０００７】
一般的には、各締付け手段は、少なくとも第１部分を有し、この第１部分は、頭部と頭部から軸方向に伸びて対応するタングの他の端を固定する締付けシャンクを有し、締付けシャンクは、クラッチの第２要素の通孔を貫通し、この孔は、半径方向にすきまを設けられており、第２要素をシャンク上に取り付けること、あるいは、シャンクを第２要素上に取り付けることを容易にしている。
【０００８】
そのため、シャンクに関連する第２要素の変位を回避し、簡単かつ廉価にて、これを実施しうることが重要である。
【０００９】
【課題を解決する手段】
本発明の流体継手装置用ロックアップクラッチは、２個の要素の間に、軸方向に少なくとも１個の摩擦ライナーを配設してあり、これら２個の要素は、運動しないように固定されたトラバース固定壁とともに回転しうるように接続され、この固定壁に対して軸方向運動が出来るようになっているピストンを有し、前記２つの要素は、タングを介して、ともに回転しうるように結合され、タングは、アセンブリの円周の弦方向に沿って長手方向に伸びており、タングの一方の端は、例えば、すべてのタングに共通である駆動リング、つまりアタッチメントリングを介して、２つの要素の中の第１要素に結合され、該アタッチメントリングは、第１要素に取り付けられ、かつ、各タングの他方の端は、複数の締付け手段の１つを用いて、当該要素の中の第２要素に取り付けられており、各締付け手段は、対応するタングの他方の端を固定する第１締付け手段を有し、かつ、タングの他方の端に設けられた対応する通孔を通って伸びている締付けシャンクにより、軸方向に貫通して伸びている頭部を有し、この締付けシャンクは、タングの側面（以下、内側面と称する）、および、この内側面を保持するために第２要素上に接触するよう形成された結合側面を軸方向に貫通して伸びており、摩擦ウェッジを、対応する締付け手段の第１部分であるシャンクが貫通し、かつ、これが、各タングの内側面と第２要素の外側結合側面との間に軸方向に挿入されており、さらに各摩擦ウェッジの側面部分（以下、内側側面と称する）は、第２要素に軸方向に締めつけられおり、その表面が粗い部分を有していることを特徴としている。
【００１０】
摩擦ウェッジにより、シャンクに関連する第２要素の変位が防止され、かつ、第２要素をシャンク上に取り付けること、あるいはシャンクを第２要素に取り付けることが容易となる。
【００１１】
摩擦ウェッジは、単純なコンポネントであり、そのため、本発明の構成は、簡単かつ廉価である。
また、摩擦ウェッジの軸方向寸法は小さいので、何ら悪影響を及ぼすことはないい。そのため、タングを共通駆動リング（以下、アタッチメントリングと称する）で固定する場合、摩擦ウェッジの存在により、アタッチメントリングを変更する必要はなく、アタッチメントリングを、標準設計のコンポネントとすることが出来る。
【００１２】
摩擦ウェッジが、軽量であるため、第２要素がピストンである場合、ピストンの軸方向運動は、摩擦ウェッジの存在により悪影響を受けない。
【００１３】
各締付け手段は、フランス国特許公開第２７２６６２０号公報に記載されているように、２つの部分から成っている。但し、別の実施態様においては、各締付け手段は、１つの部分のみから構成されており、２つの部分から構成されている締付け手段におけるのに比べて、軽量でかつ、廉価である例えば、リベットが使用されている。
この場合、国際特許出願ＰＣＴ／ＦＲ９８／０１３９３号明細書に記載の方法によれば、リベット作業を実施するに際して、工具またはアンビル、あるいは、カウンタツールを使用して、第２要素の両側から締付け作業をすることを可能にするためには、第１要素に通孔を設けることが必要である。これに関連して、カウンタツールを、関連する通孔を通過させ、タング上に前もって摩擦ウェッジを取り付けた状態で、リベットの頭部と接触させる。シャンクは容易に通孔を通過するが、その通過後、このカウンタツールを使い、シャンクの自由端を、（シャンク上に容易に取付けられた）ピストンあるいはトラバース壁に接触するように、あるいは壁に取付けられたコンポーネントと接触するように鍛圧して膨径させる。
【００１４】
通孔は、最終的には、プラグ、プレート、カプセル、あるいはその他適切な密閉物などの適切な密閉、密封要素によりシールされる。
【００１５】
通孔により、第２要素の両側から作業可能であるため、締付け手段は、勿論ボルトであってもよい。そのために、シャンクに、部分的にねじ切りをしてもよい。最終リベット作業前に、言うまでもなく、クラッチの摩擦円板は、この摩擦円板の摩擦ライナー（あるいは、各摩擦ライナー）がピストンとトラバース固定壁との間に把持されるように配置してから、適切な位置に取り付ける。
【００１６】
このように、本発明の実施態様においては、トラバース固定壁は、タングの他の端をピストンに取り付けることが出来るように、リベットと同一軸線上に通孔を設けてある。摩擦ウェッジは、従来技術の第２締付け手段の第２部分よりも軽量であり、そのため、ピストンの軸方向の変位は容易となる。
【００１７】
本発明の他の実施態様においては、通孔は、タング用の共通アタッチメントリングをトラバース壁に締めつける手段と同一の軸線上になるように、ピストン上に設けてある。この通孔は、最終的には、プラグなどの密封、密閉要素を使ってシールされる。
【００１８】
この構成においては、タングの一方の端を、先ず共通アタッチメントリングに取り付け、次にピストンの両側から作業して、摩擦ウェッジとシャンクを装着したタングの他方の端に、ピストンを取り付ける。次に、摩擦ディスクを通孔を使用して取り付けた後、共通アタッチメントリングをトラバース固定壁に取り付け、その後、上述した国際特許明細書に記載されている通りに、通孔を、最終的に、プラグ、あるいは他の手段など適切な密封要素を用いてシールする。
【００１９】
通孔により、アタッチメントリングは、最終的に、トラバース固定固定壁（典型的には、金属製である。）に接着あるいは溶接される。
他の例では、アタッチメントリングは、通孔を利用してリベットによりトラバース固定壁に固定される。１個以上のツールを、この通孔を通過させ、自明の要領で、リベット作業の間、リベットに接触させることが可能である。例えば、押し出し成型することにより、リベットとトラバース固定壁とを一体化することもできる。この場合、摩擦ウェッジをリベットの頭部とトラバース固定壁との間に挟むようにして、リベットに取りつける。これにより、摩擦ウェッジの粗い表面部分は、アタッチメントリングと接触するようにされる。
【００２０】
このように、タングおよびアタッチメントリングの締付けは、リベットにより達成される。締付け手段のシャンクは、半径方向のすきまを設けた上述した第２要素を貫通している。
更に、正確に言うと、この実施態様では、リベットは、タングの一方の端と結合され、タングの他の端と結合するリベットのシャンクと、対応ピストンに設けた通孔、例えば、孔との間の半径方向のすきまより小さいすきまを設けたアタッチメントリング上の通孔を貫通している。
【００２１】
タングは、勿論、直接に、軸方向に突出するボスに固定してもよい。このボスは、例えば、フランス国特許公開第２７２６６２０号公報に示された方法に従い、トラバース固定壁上に溶接することにより取り付けるか、あるいはトラバース固定壁を押し出して成型する。この場合、第２の要素はトラバース固定壁であり、第１の要素はピストンである。
【００２２】
この結果、例えば、１組の第１リベットを使用して、タングの一方の端を先ず、ピストンに固定し、このリベットのシャンクをピストン上に設けた孔へ貫通させる。次に、摩擦ディスクを取り付けた後、タングの他の端に、摩擦ウェッジを装着し、１組の第２リベットを使用して、ボス上に固定する。第２リベットは、シャンクを有しており、このシャンクは、ボス上の半径方向にすきまを有する孔を通して貫通している。この目的のために、ピストン上に、通孔をボスと同軸上に設け、１個以上のリベット用カウンタツールあるいはアンビルをこの孔を通して、リベットの頭部を鍛圧することが出来る。
摩擦ウェッジは、ボスとタングの他の端の間に軸方向に挿入される。第２リベットのシャンクは、１個以上のツールを使用して、ピストンから離れた外側に面するトラバース固定壁の側に向かって鍛圧膨径される。
【００２３】
このリベット作業後、通孔を閉鎖し、密閉要素を使用してシールする。密閉要素は、例えば、通孔に強制はめ込み、あるいは、スナップはめ込み、あるいは、接着固定することにより取り付けられる。
【００２４】
第２締付けリベットのシャンクは、ボスに設けた半径方向すきまを有する孔を通して貫通する。この半径方向すきまは、第１締付けリベットのシャンクと、ピストン上に設けた対応する穴との間に存在するすきまより大きい。したがって、最初の締付けリベットの膨径により、タングとピストンとの間に変位は起きない。摩擦ウェッジにより、タングとトラバース固定壁との間の軸方向の運動は阻止される。
【００２５】
本明細書において、タングの一方の端は、（直前の述べた最初のリベットのような）第１締付け手段により固定される。タングの他の端は、本発明の摩擦ウェッジを含めた複数の締付け手段を構成している第２締付け手段により、クラッチの第２要素に固定されている。
【００２６】
第２の締付け手段は、勿論、リベットの代わりに、ボルトとしもよい。この場合、密封座金を配設することが必要となる。
【００２７】
変形例として、ボスの代わりに、共通アタッチメントリングを使ってもよい。この変形例では、アタッチメントリングは、例えばリベットにより、トラバース固定壁に固定され、タングの一方の端はピストンに固定される。タングの他方の端には、摩擦ウェッジを装着し、リベットにより、耳に固定される。このために、アタッチメントリング上に、軸方向の突起を形成してある。このために、ピストンおよびトラバース壁は、アタッチメントリングの耳部と同一軸上に、通孔を有し、リベットツールあるいはツール、およびリベットアンビル、あるいはカウンタツールが通るようにする。
【００２８】
リベット作業が完了すれば、通孔は、適切な密閉要素を使用して、シールされる。
【００２９】
摩擦ウェッジを、耳とタングの他方の端との間に軸方向に挿入し、第２締付けリベットのシャンクを、ピストンの通孔およびトラバース壁の通孔と同一軸上に配設したアタッチメントリングの耳部に設けた半径方向にすきまを有する通孔へ貫通する。ここで、トラバース固定壁は、アタッチメントリングを経由して、上記の第２要素の構成要素となる。
【００３０】
他の実施態様においては、摩擦ウェッジは、タングの各端と結合されている。すなはち、第１および第２の締付け手段は、これらの摩擦ウェッジを組み込む。通孔の存在により、あらゆる組合せが可能となる。
【００３１】
本発明の好ましい特徴によれば、各ウェッジの粗い表面部分は、環状であって、締付けシャンクが通過するウェッジの孔を取り囲むものであってもよい。
【００３２】
本発明の他の好ましい特徴によれば、各摩擦ウェッジは、対応するタングの他方の端に取り付けられる。
【００３３】
本発明の更に好ましい特徴によれば、前記第２締付け手段の前記第１部分を摩擦ウェッジに適用し、締付けシャンクを摩擦ウェッジの孔に強制嵌め込みする。この方法は、簡単で廉価である。
【００３４】
好ましくは、各タングの他方の端を、関連する締付け手段の第１部分に適用し、締付けシャンクを、タングの他方の端の対応する通孔に強制嵌め込みする。
【００３５】
ある実施態様では、各摩擦ウェッジは、その外側面の部分を、タングの他方の端の内側面に、例えば、接着あるいは溶接により取り付ける。
【００３６】
また、他の実施態様では、各摩擦ウェッジは、粗い表面部分を有する座金部分を有し、この座金部分は、半径方向にインデックスクアームが伸び、ほぼ同平面に、座金部分から突き出ている。インデクックスアームは、関連タングの内側面に近接しており、自由端の近辺に、２つの対向するインデックス耳があり、各耳は、２つの縦方向に対面するタング端に沿って、それぞれ軸方向に噛合している。
【００３７】
各摩擦ウェッジのインデックスアームは、対応するタングの内側面に対して、鋭角であることが好ましい。
【００３８】
好ましくは、第１要素は、クラッチのケーシング要素のトラバース壁であり、第２要素は、ピストンである。
【００３９】
締付手段中、第２締付手段は、締付けシャンクのうねり部分に半径方向に嵌め込まれるスリーブでもよい。
【００４０】
本発明の他の特徴および利点は、本発明の好ましい実施態様の下記の詳細な説明を読めば、明白である。次に、添付図面を参照にして、実施態様により、本発明を説明するが、本発明は、これに制限されるものではない。
【００４１】
【発明の実施の形態】
まず、従来技術のロックアップクラッチ１０を示す図１および図２について説明する。
このクラッチ１０は、軸方向に対称軸Ｘ−Ｘを有する流体運動学的継手装置、あるいは流体継手装置（図示していない）に組み込まれており、これにより、機械的に流体継手のタービンホイールを衝撃ホィールに接続して、直接的あるいは間接的に、一体化して回転するようにすることを可能としてある。但し、タービンホイールは、ハブを介して、流体導管を有する従動シャフト上に設けることにより、一体化して回転するようにし、一方、インパルスホイールは、駆動シャフト上に搭載し、一緒に回転出来るようにしてある。
【００４２】
ロックアップクラッチ１０は、少なくとも１個の摩擦ライナー１１を有しており、摩擦ライナーは、軸Ｘ−Ｘを中心にして、軸方向に固定された固定壁１２（以下、便宜上固定固定壁１２と称する）と、固定壁１２に向かって軸方向運動出来るように搭載され、その固定壁と接続して共に回転するピストン１３との間に軸方向に配設されている。なお「固定壁」という語は、単純に固定壁１２が軸方向に固定されているという意味である。
言うまでもなく、固定壁１２は、アセンブリの軸Ｘ−Ｘを中心にして、回転駆動される。固定壁１２は、回転しうるように、駆動シャフトに接続されている。
【００４３】
図１の下部には、突起要素（符号はない）の一つが示されている。この突起要素により、固定固定壁１２は、自明の方法で、半径方向のプレート部材２１を介して、駆動シャフトと、一体回転可能に、接続されている。図１に示す実施態様においては、固定固定壁１２は、クラッチケーシングの一部である。より正確に言うと、固定壁１２は、ケーシング要素１４のベース固定壁の一部であり、釣鐘形ガラス覆あるいはポットのような形状である。
流体継手の衝インパルスホイールは、ケーシング要素１４に接続され、それとともに回転する。摩擦ライナー１１およびピストン１３が、ケーシング要素１４内に配設されている。
【００４４】
図１に示す実施態様においては、２つの摩擦ライナー１１が示されている。摩擦ライナーは、おおむね平らな環状サポートプレート１５のいずれか一方の側に配設されている。このライナーは、例えば接着により、サポートプレート１５に取り付けられており、サポートプレート１５と共に、環状摩擦ディスク１６を構成している。
他の変形例では、サポートプレート１５は、一つの摩擦ライナー内に被包されている。
別の変形例では、一方の摩擦ライナーは、ピストン３０に固定されており、他方の摩擦ライナーは、固定固定壁１２に固定されている。
【００４５】
サポートプレート１５は、半径方向の外側周辺の所に、耳１８を有している。この耳１８は軸方向に突出し、ピストン１３の外側周辺に半径方向に伸びている。図１に想像線で示すように、これらの耳１８を介して、摩擦ディスク１６を、噛み合せにより、ねじり振動止め装置１９の要素の一つと接続してある。ねじり振動止め装置の他方の要素それ自体は、一体となって回転出来るように、流体継手装置のタービンホイールに結合されている。
【００４６】
固定壁１２は、中心ノーズ２０を支えている。中心ノーズ２０は、固定壁１２の中心域から軸方向に突き出ている。中心ノーズ２０それ自体は、半径方向のサポートリングあるいはスリーブ２１を備えており、このサポートリングあるいはスリーブ２１は、中心ノーズ２０に取り付けられ、ピストン１３を支えている。ピストン１３は、密閉された状態で、軸方向に運動出来るように、スリーブ２１の半径方向の内側を介して、中心ノーズ２０に取り付けられている。
【００４７】
スリーブ２１は、中心ノーズ２０とは独立したコンポネントである固定固定壁１２に対して直接接合されている。このため、スリーブ２１には、スリーブ面上の半径方向に当接ボス２２が、軸方向に出っ張って形成されている。スリーブ２１は、中心ノーズ２０の表面２４で支えられる。
当接ボス２２により、流体が（この場合、オイル）、当接ボス２２と中心ノーズ２０の間を流れることが出来ることは注目すべき特徴である。
【００４８】
スリーブ２１は、中心ノーズ２Ｏの上に軸方向に、（例えば）固定壁１２の中心ノーズの相対する側に配設されている。図１に示すように、固定固定壁１２から離れたところにあり、スリーブ２１をはみ出している中心ノーズ２０の端の部材は、鍛圧膨径され、部材の塑性変形により、中心ノーズ２０上の軸方向のスリーブ２１の位置決めを確実にしている。
【００４９】
固定壁１２およびピストン１３は、スリーブ２１と一緒に、流体コントロールチャンバー２５を形成している。摩擦ライナー１１は、コントロールチャンバ２５の外側周辺に位置している。
半径方向通路２６が、当接ボス２２の間に形成されている。中心ノーズ２０には、ボアから外側に向かって伸びる通孔２７が形成されている。流体コントロールチャンバ２５は、半径方向通路２６、通孔２７および中心孔２８を通して、加圧流体（図示しない）の源と連絡されている。さらに正確に言うと、従動シャフトの流体ダクトは、中心ノーズの中心孔２８と連絡されている。
【００５０】
上述した配列のさらに詳細な説明に関しては、例えば、国際特許出願９４／０７０５８号明細書および対応する米国特許明細書５，５９０，７５０号を参照されたい。これらの内容は、本明細書に組込まれているものとして見做す。流体継手のタービンおよびインパルスホイールは、これらの文書に記載されている。但し、ここでは、タービンホイールには、ハブが一体的に回転できるように、従動シャフトに搭載されていることを前提としている。
【００５１】
自明の方法により、ピストン１３は（この場合金属製である）、１組のタング３０を介して、固定固定壁１２（再度、この場合、金属製である）に固定され、一体となって回転する。
【００５２】
これに関連して、図３を参照して説明する。
図３に詳細に示されるように、タング３０は、長手方向に、アセンブリの周囲の弦上に、すなわち、共通のピッチ円に正接するように、伸びている。タング３０は、軸方向に弾力的に変形され、これにより、ピストン１３は、固定固定壁１２に対して、軸方向に移動ができる。この実施態様では、タング３０は金属製であり、特に、処理されたスチール製である。
【００５３】
簡略化のため、「タング」という用語は、ここでは、独立的に作動するタングもしくは、それぞれのタングが、単一タングの集まりからなるタング、例えば、１対の単一タングが、添付図面のすべての図に示すように、一緒に、かつ同じデザインで設計されている。
【００５４】
この場合、タング３０は、摩擦ライナー１１とアセンブリの軸Ｘ−Ｘとの間の半径方向に伸長する空間に形成されている流体コントロールチャンバ２５内に設けられている。タングは、直接的あるいは間接的に、タングの一方の端３０Ａで、固定固定壁１２に取り付けられている。各タング３０の他方の端３０Ｂは、ピストン１３に取り付けられている。
【００５５】
図面で示す各種のクラッチにおいて、タング３０は、固定壁１２に固定された中間部材３２により、固定壁２３に取り付けられている。特に、この中間部材３２は、アタッチメントリングであり、すべてのタング３０に共通であり、固定壁１２にリベット３３により固定される。リベット３３のシャンクは、例えば、押し出し成型により、固定固定壁１２と一体化して形成される。
アタッチメントリング、すなわち中間部材３２は、それゆえに、駆動あるいは作動リングであり、すべてのタング３０に共通である。半径方向の内側において、中央部位、すなわち、軸方向に突き出ている耳３４については、中心軸方向にピストン１３に向かって斜めに配設されている。
タング３０の一方の端３０Ａは、リベット３５により、耳３４に固定され、前述したように、第１締付手段を構成している。
【００５６】
図１および図２に示す最新技術を説明すると、タング３０の他方の端３０Ｂのピストン１３への取り付けに関して、複数の第２締め付け手段３６が使用されている。これらの締め付け手段は、詳細に、図２に示されており、２つの部分から成っている。締め付け手段は、一般的には、各タングに設けられた通孔３７を経て、タング３０を通り、次に、ピストンに設けた孔３８を経て、ピストン１３を通り、貫通するように構成されている。
このように、タング３０の他方の端３０Ｂをピストン１３に固定する締め付け手段３６は、第１部分３６Ａと第２部分３６Ｂから構成されている。第１部分３６Ａは、後に詳しく述べるような方法で、事前にタング３０に取付けられる。第１部分３６Ａで取り付けるために、第２部分３６Ｂだけ、ピストン１３の近づきやすい側で、すなわち、図１と図２では左手側において、支えることが必要である。
【００５７】
図面において、タング３０に関連する締め付け手段３６は、フランス国特許公開第２７２６６２０号公報に記載する方法によって膨径されたボルトシャンクからなるタイプの締め付けからなっている。
【００５８】
最初の部分３６Ａは、シャンク４０および頭部４１を有する特殊ボルトからなっている。シャンク４０は、図２に詳細に示されているように、軸方向にピストン１３に設けられた半径方向すきまをを有する孔３８を通過している。
頭部４１から伸長して、シャンク４０は、図１および図２に示すように、右から左の軸方向に連続して伸長する滑らかな部位４２、および第１リブ付き部位４３から構成されている。シャンク４０と接合部で、頭部４１は、半径方向の接合面４７を形成している。この接合面４７は、平らな表面であり、これにより、頭部の接合面４７は、二重タング上において、軸方向に接合関係を形成する外側面あるいは接合面４６と接合する。タングの接合面４６には、対応する通孔３７が設けられている。
【００５９】
このように構成される締め付け手段３６のボルト３６Ａは、例えば、関連するタング３０に取り付ける場合、強制的にシャンク４０の滑らかな部位４２を、タング３０の通孔３７に嵌め込む。ボルト３６Ａは、ロスなく固定できる。強制嵌め込みを容易にするために、シャンク４０の滑らかな部位４２の自由端を、例えば、僅かに、円錐台形にする。
他の変形例として、滑らかな部位４０をきざみ付きにしてもよい（図示せず）。
【００６０】
他の変更例を説明する。締め付け手段３６の第１部分３６Ａは、タング３０を締め付ける場合、頭部４１の結合面４７をタング３０の表面４６に、例えば溶接あるいは接着することも出来る。
【００６１】
締め付け手段３６の第２部分３６Ｂは、ボルト３６Ａのシャンク４０の最初のリブ付き部位４３上に覆うようにタップ付けられた単１なスリーブから構成されている。この実施態様において、スリーブ３６Ｂは、ピストン１３と同じ側に、ベースあるいは、つば部４５を有する。このつば部４５は、直径が拡大されており、これにより、スリーブがピストン１３の通孔３８に向かって塑性流動を受けるのを防止する。
【００６２】
締め付け手段３６を使用したアセンブリ作業は、下記の通り実施される。
まず、タング３０の一方の端３０Ａを、固定壁１２に取り付ける。このために、図４に示すサブアセンブリ４８をまず構成する。サブアセンブリ４８は、中間部材３２とリベット３５で中間リング３２の耳３４に取り付けたタング３０、およびタング３０により支えられた締め付け手段３６、および締め付け手段３６のボルト３６Ａから構成されている。
【００６３】
次にサブアセンブリ４８は、リベット３３により固定壁１２に取り付けられる。この目的のために、耳３４には、孔３８を設けてある。この孔３８へ、リベット３３のシャンクを貫通させる。その孔３８を通して、タング３０の他方の端３０Ｂにより支えられている締め付け手段３６のボルト３６Ａに、ピストン１３を軸方向に結合が出来る。この取り付け作業は、孔３８およびシャンク４０との間に半径方向のすきまが設けられているために、実施することが容易である。
【００６４】
好ましくは、ピストン１３、固定固定壁１２と中心を合わせながら、同時に、締め付け手段３６のボルト３６Ａ上にピストン１３を結合することが望ましい。このために、この実施態様では、中心ノーズ２０が利点となる。図示はしていないが、心出しツールを利用する。この心出しツールは、内側で中心ノーズ２０を支え、外側で、中間部材３２を支える。
この様に、得られた中心合わせの結果、ピストン１３は、孔３８および締め付け手段３６のボルト３６Ａのシャンク４０との間に設けた半径方向のすきまの存在により、位置決め出来る。これにより、ピストンは、スリーブ２１と干渉しないという利点を有する。反対に、ピストンは、スリーブ上を褶動運動することにより、正しく接合することが出来る。
【００６５】
最後に、締め付け手段３６の第２部分３６Ｂを適切に取り付けることで十分である。すなわち、第２部分３６Ｂを構成するスリーブを、ボルトがピストン１３上の軸方向接合部にくるまで、ボルト３６Ａのシャンク４０上にはめ合わせる。
【００６６】
このために、つば部４５の外側半径方向面５０は、ピストン１３の内側側面と軸方向に接合する。一方、一般には、半径方向に向いているピストンの外側面５２は、タング３０の他方の端３０Ｂの内側面５４（接触関係を形成する）と軸方向に接合する。外側面５２は、それゆえに、（「外側結合側面」と称する）接合面であり、この面は、部分的なスタンピングあるいはプレス加工により、ピストン１３上に形成する。
この軸方向の締め付け結合を達成するために、特殊ツールを使用して、締め付け手段３６のボルト３６Ａのシャンク４０上に牽引力を加え、その後、シャンク４０のリブ付き部位に嵌め込むように、半径方向圧力をスリーブ３６Ｂに加える。このように、嵌め込みにより、２つのコンポネントを嵌合することができる。
【００６７】
図面には示していないが、変更例を説明すると、フランス国特許第２７２６６２０号に示すように、タング３０の一方の端３０Ａと中間リング３２とを一体化し、固定固定壁１２に取り付けてもよい。
【００６８】
前述したように、かつ、図２に示されるように、締め付け手段３６の設計により、かつ、アセンブリを最新技術で実施することにより、孔３８とシャンク４０との間に、半径方向のすきまが存在する。このすきまにより、ピストン１３のシャンク４０上への取り付けが容易になり、リベット３５のシャンクとリベット３５が通過するように、耳部３４に設けた孔３４との間のすきまよりも大きくなる。
【００６９】
半径方向すきまから生ずるこの欠陥を是正するために、図３から図８に示すように、本発明では、摩擦ウェッジ６０を配設し、タング３０の他方の端３０Ｂと（現在の場合）ピストン１３との間に軸方向に挿入する。締め付け手段３６の第１部分３６Ａのシャンク４０は、対応する摩擦ウェッジ６０を通して伸びる。
【００７０】
摩擦ウェッジ６０の構成を、図３から図８により、詳細に説明する。
図３に示すように、二重タング３０の他方の端３０Ｂのそれぞれに、一つずつ摩擦ウェッジ６０を装着する。この実施態様では、摩擦ウェッジ６０は、金属製であり、薄くて、軽量である。
【００７１】
各摩擦ウェッジ６０は、主要部６２を備え、この主要部は、環状リングあるいは座金の形状をしており、ピストン１３の外側接触面５２（図２を参照）と接触している環状の内側面６４で、および、関連するタング３０の他方の端３０Ｂと接触している環状の外側面６６で、軸方向に固着されている。
【００７２】
本発明に従い、環状内側面６４は、図６に示すように、粗い表面部を備えている。
【００７３】
摩擦ウェッジの主要部６２つまり座金部は、孔６８を有し、円筒状の滑らかな部位４２用に配設されており、関連する締め付け手段３６のボルト３６Ａのシャンク４０の円錐台形状の端がその孔を通過している。
例えば、強制嵌め込みにより、主要部６２は取り付けられ、摩擦ウェッジ６０も、シャンク４０および対応する２重タング３０の他方の端３０Ｂに取り付けられる。摩擦ウェッジ６０は、ピストンがタングに固着される前に紛失することはない。
【００７４】
クラッチ機構が組み立てられた後、粗い環状の内側面６４は、ピストン１３の外側面５２と接触し、ウェッジ６０とピストン１３との間で得られる摩擦により、締め付け手段３６のボルトあるいはスリーブが軸方向に締め付けられた後の、ピストン１３に対する半径方向のシャンク４０の変位が防止される。
【００７５】
次に、図面に示していない他の実施態様を説明する。
摩擦ウェッジ６０は、その外側主要部６２をタング３０の他方の端３０Ｂの内側面５４に固着することにより（例えば、接着剤あるいは溶接することにより）、対応するタングの他方の端３０Ｂに取り付けることもできる。
【００７６】
本発明の他の特徴に従い、各メーン部位、すなわち、摩擦ウェッジの輪状座金の形状をしている部位は、そのインデックスアーム７０部分が半径方向に伸長している。インデックスアーム７０は、タング３０の内側面６４と、あるいは近接したほぼ同平面状に座金部位から突き出している。
インデックスアームは、その自由端の近くに、２つの相対するインデックス耳７２を有している。これらのインデックス耳７２は、それぞれ、関連するタング３０の縦方向の相対する両端７４に沿って噛み合っている。
【００７７】
図６から図８において詳細に示してある特別の変形実施態様を説明すると、インデックスアーム７０は、関連タング３０の内側面６４に対して鋭角に配設されている。すなわち、摩擦ウェッジ６０の主要部６２、あるいは、粗い座金部の平面に対して鋭角に配設されている。このようにして、摩擦ウェッジは、関連するタング３０に対して回転することが防止されている。摩擦ウェッジは、円周囲における割り出しの役目をする。
【００７８】
サポートプレート１５（図１）、耳１８は、勿論回転しながら、例えば、ほぞ、およびほぞ穴タイプの結合方法により、流体継ぎ手のタービンホイールに取り付けた部材に接続する。
【００７９】
この発明の場合、タング３０の端３０Ａおよび３０Ｂの、形状は丸く、輪郭は半環状である。他方の端３０Ｂは、摩擦ウェッジ６０、より正確に言うと摩擦ウェッジの環状リング部位６２と重なっている。
【００８０】
一般的には、ウェッジ６０は、タング３０の他方の端３０Ｂと重ねるのが好ましく、これにより、ウェッジの形状は、他方の端を補完するような形状をとる。
タング３０の他方の端３０Ｂは、変形例においては、長方形である。この場合、主要部６２を、表面の粗い長方形のプレート要素に代えてもよい。ウェッジ６０は、タング３０の他方の端を覆うようにし、保護するするように形成される。
【００８１】
摩擦ウェッジの粗い表面部分は、摩擦ウェッジ６０の通孔６８を囲むようにし、この通孔６８を、締め付けシャンクが貫通する。
他の実施態様では、タング３０の他方の端３０Ｂは、ウェッジ６０よりはみ出している。この配置では、摩擦ウェッジの粗い表面の部分が小さいので、あまり利点がない。
【００８２】
すべての場合、アタッチメントリングあるいは中間部材３２は共通である。このために、中間部材３２は、図３におけるタング３０の他方の端３０Ｂの部分で示すように、切り抜き法で成形される。これにより、シャンク４０が貫通でき、タング３０の軸方向の運動が可能になる。
摩擦ウェッジ６０が存在するからといって、この切り抜き成形法を変更する必要はない。他の派生的実施態様におけるように、摩擦ウェッジ６０は、タング３０の他方の端３０Ｂをはみ出してもよい。
【００８３】
本発明の第２の実施態様を示す図９から図１１までを参照する。
この実施態様では、各締め付け手段３６は、（第２締め付け手段と称されている）単一の部分のみで構成されており、すなわち、リベットから構成されている。  滑らかな部位４２あるいはこのリベットのシャンクは、軸方向に伸びており、半径方向すきまを有するピストン１３に設けた孔３８を貫通している。この実施態様において、図３の実施態様で使用するのと同じ中間部材３２を使用する。これにより、通孔１２４をピストン１３に設け、押し出し成形により固定壁１２に形成したリベット３３と同軸方向に配設することが必要である。
通孔１２４の存在により、少なくとも、リベット用のツールが１本あれば、リベット３３のシャンクを孔へ貫通させ、鍛圧膨径させることが可能となる。アンビルあるいはカウンタツールを、ピストン１３と相対する固定壁１２の側に配設することにより、リベット３３の膨径作業の間、固定壁を支持する。
【００８４】
リベット作業の後、密封要素１２３を使って、通孔１２４をシールする。この実施態様の場合、この密封要素はプラグであり、通孔１２４にスナップ嵌め込みする。
他の実施態様では、プラグ１２３を、通孔１２４に強制嵌め込みする。別の実施態様では、プラグ１２３は、ピストン上に接着あるいは溶接される。プラグ１２３の代わりに、プレート要素あるいは他の適切な密封材を使ってもよい。詳細に関しては、国際特許出願ＰＣＴ／ＦＲ９８／０１３９３号を参照して、その文書に説明してある各種の形式を、本発明の構想中、組み込みうる。
【００８５】
この実施態様において、タング３０の一方の端３０Ａを、まずリベット３５（すなわち、第１締め付け手段）で、中間中間部材３２の両側で作業しながら、中間中間部材３２に固定する。次に、ピストン１３を、リベット３６により、タング３０の他方の端３０Ｂに固定する。その際、摩擦ウェッジ６０は、ピストン４２をタング３０およびウェッジ６０に強制嵌め込みすることにより、前もって取り付けられている。このことは、図１から図８を参照して、既に前述した通りである。
次に、摩擦ディスク１６（図１）を位置決めした後、中間中間部材３２を、リベット３３により、最終的に固定壁１２に固定し、最後に、通孔１２４を、前述したようなプラグ１２３あるいは他の密封要素により、密封する。リベット３５は、図１から図８に示した耳３４に設けた通孔を貫通する。この通孔は、シャンク４０と関連するピストン１３の通孔３８との間に設けた半径方向すきまより小さい半径方向すきまを有する。
【００８６】
中間リング部材３２は、勿論、中間リング３２と固定壁１２との間の軸方向に挿入されている粗い表面の座金、あるいは、摩擦ウェッジにより、固定固定壁１２に固定することも出来る。リベット３３のシャンクは、貫通可能なように形成された半径方向すきまを有する孔を貫通する。
【００８７】
変更実施態様において、リベット３６をまずピストン１３に取り付け、次に、中間リング３２を固定壁１２上に取り付ける。その後、摩擦ウェッジをはさみながら、タング３０を耳３４に固定する。その場合、ピストン１３および固定壁１２に、通孔をリベット３５と同軸上に設けることが必要である。
ウェッジは、耳３４とタング３０との間で軸方向に運動する。最後に、通孔を密封する。構造を反対にし、タング３０の他方の端を耳３４、すなわち、固定壁１２側と結合する端とすることも可能である。
【００８８】
図９は、流体継手のタービンホイール１０１を示す。タービンホイールの形状は通常は羽根であり、その内周には、環状部位１０２を有しており、この環状部位は、リベット１２２により、ハブ１２０上に固定されている。ハブには、タービンホイール１０１を従動シャフトと結合するために、キー溝が付けられており、タービンホイール１０１と一体になり従動シャフトも回転する。
従動シャフトの流体通路は、中心ノーズ２０の中心孔２８と連絡しており、この実施態様では、この中心孔２８は、ピストン１３を誘導する役目をしている。低摩擦リング１２１が、ハブ１２０と中心ノーズ２０との間に軸方向に挿入されている。
【００８９】
ねじり振動止め装置１９は、リベット１２２によりハブ１２０に固定されているダンパプレート１０３からなる。ダンパプレート１０３は、外周に、固定固定壁１２に向かい軸方向に開放している溝１１４を備えている。
コイル中間リング１９０は、サポートリング１５とダンパプレート１０３との間の円周上に挿入されている。この目的のために、サポートリング１５および摩擦ディスク１６は、外周に、傾斜した耳１４０を有している。この耳は、指状の軸方向の耳１４１と一体となり、スプリング１９０を支持する。図では、隠れていた部分に位置しており、見えないが、この指状軸方向耳１４１は、円周方向に突き出ており、２つの連続スプリング１９０の円周端から入り込んでいる。
【００９０】
ダンパプレート１０３は、外周において、押し出された部位１４６を有しており、この部位で、溝１１４に取り付けられた２つの連続スプリング１９０の円周端と結合している。スプ中間部材１９０は、摩擦ディスク１６で支持されており、ダンパプレート１０３の溝１１４において、摩擦ディスクと一体となり軸方向に変位する。
摩擦ライナー１１がピストン１３と固定固定壁１２との間で把持される場合、トルクは、ディスク１６からダンパプレート１０３に向かって軸方向に伝動される。
【００９１】
他の実施態様では、スプ中間部材１９０を省略し、ディスク１６がその耳１４１を介して、ほぞとほぞ孔により、ダンパプレート１０３と直接に結合される。詳細に関しては、１９８８年３月３日に出願のフランス国特許出願９８０２８０８号を参照のこと。この出願に、ねじり振動止めの説明がある。
【００９２】
図に示すすべての実施態様について説明する。
ピストン１３の一方の側に対する圧力が変化することにより、例えば、流体コントロールチャンバ２５内の圧力を変えることにより、ピストン１３は、軸方向に一方の方向あるいは他方の方向に変位し、ピストン１３と固定固定壁１２との間の摩擦ライナー１１が、把持あるいは緩められる。摩擦ライナー１１が把持されると（すなわち、クラッチがロックアップされると）、タービンホイールと衝撃ホイールとの間の関連する運動は、阻止され、トルクが、摩擦ディスク１６を介して、弾性的に、あるいは剛性的に、駆動シャフトから従動シャフトに伝動する。
摩擦ライナー１１が、自由である場合（すなわち、クラッチが外れている場合）、これらのホイールの羽根の間のオイルが流動し、衝撃ホイールがタービンホイールを駆動する。
【００９３】
通孔のために、リベット３６の代わりに、ボルトを使用してもよい。
【００９４】
別の実施態様では、この通孔は、タングをピストンに取り付ける第２締め付け手段３６と同軸方向で、トラバース固定壁１２に設けられる。図１２を参照すると、段付けされた通孔２２４を、ピストン１３の通孔および第２締め付け手段の一つを構成する締め付けリベット３６と同軸方向で、トラバース固定壁１２に設ける。
【００９５】
図１２は、二重タング３０を示す。その内側面は、リベット３６の頭部に面している。摩擦ウェッジ６０は、タングの内側面とピストン１３の外側面５２との間に軸方向に挿入され、把持される。この外側面５２は、ピストン１３に形成されたボス１５２の一部を構成しており、ピストンは金属製である。更に正確に言うと、リベット３６およびウェッジ６０は、リベット３６をタングおよびウェッジの通孔に強制嵌め込みすることにより、タング３０の他方の端に取り付けられる。
次に、タング３０の一方の端を、リベットにより、中間中間部材３２に固定する。勿論、前述した作業の最初の２つの順を逆に行ってもよい。
【００９６】
中間リング３２は、タング３０に装着され、トラバース固定壁１２に固定される。摩擦ディスクは、適切に取り付けられ、固定壁１２は、平らに配設される。引き続き、ピストン１３は、リベット３６のシャンクに取り付ける。この作業は、リベットのシャンクが、ピストンの半径方向すきまを有する通孔３８を貫通するので、容易である。
【００９７】
次に、リベット３６のシャンクをリベットする作業を実施する。このために、カウンタツールを通孔２２４へ貫通させる。この実施態様では、この孔は、円筒状であり、カウンタツールがリベット３６の頭部を鍛圧する。リベットのシャンクの自由端は、ピストンを貫通して伸びている。
【００９８】
リベット３６の自由端は、適当なツールを使用して鍛圧される。自由端の材質は、２重タング３０から離れて相対するボス１５２の面と接触して流動する。これにより、ウェッジ６０が把持される。引き続き、通孔２２４を密閉する。密閉には、プラグ２２３を使用し、通孔２２４に強制嵌め込みする。
別の変形例では、プラグ２２３の頭部を、固定壁１２に溶接あるいは接着して固定する。
【００９９】
中間部材３２であるリングを、フランス国特許公開第２７２６６２０号公報に説明される方法で、タング３０と一体化してもよい。
【０１００】
図１２を参照すると、中間部材３２を先ず固定固定壁１２に固定し、その後、リベットおよび摩擦ウェッジを装着したタングの自由端を、通孔２２４へ貫通して、ピストン１３に取り付ける。
【０１０１】
すべての場合、本発明の摩擦ウェッジは、軸方向に挿入し、タング３０の両端の締付結合端（ここでは、タング３０の他方の端と称するもの）を保持する。タングは、少なくとも２つの重なりあったタングから構成され、かつ、要素の１つは、ピストンあるいはトラバース固定壁からなっている。これは、クラッチの第２要素と称されるものである。
【０１０２】
一般的に言って、第２締め付け手段（第２要素およびタングの他方の端を結合する手段）は、少なくとも、表面が滑らかか、粗いか、あるいは、ねじ切りされている１つの締め付けシャンク構成されており、この締め付けシャンクは、軸方向に関連するコンポネント、すなわち、タング、摩擦ウェッジおよび第２要素を、これらのコンポネントすべてに軸方向に設けられた通孔を介して、貫通して伸びる。
【０１０３】
第２締め付け手段は、タング３０の内側面５４と、外側面５２との間に配設されたウェッジを保持する。これらの面は、第２要素上の接合関係を形成するタングの内側面と接続されている。
【０１０４】
前記外側結合面は、添付図面に明示するように、金属ピストン１３に部分的に押し出されて形成されている。この押し出された部分は、図１１および図１２に符号１５２で示す。
【０１０５】
タングは、突き出しており、リベットの場合、シャンクの材料の塑性流動が第２要素の接触面に発生し、タングが破壊しないようにする。
【０１０６】
注目すべきことは、図１１における中心ノーズ２０により、ピストン１３の心合わせを直接行えることである。
【０１０７】
摩擦ウェッジは、所定の用途、タングの数、および伝動されるトルク値による。例えば、図１において、互いに正反対に相対して配設されている２個のタング３は、摩擦ウェッジを取り付けられているが、他の２個は、取り付けられていない。
【０１０８】
摩擦ウェッジの粗い表面部分は、関連するウェッジの面を機械的に処理することにより、あるいは耐圧力の適切な粗い材料を層にしたウェッジの面を電着することにより得られる。例えば、ウェッジは、表面を粗くするために、機械的に処理されたスチールで構成してもよい。ウェッジの両面を、勿論、粗くしてもよい。インデックスアーム７０の少なくとも一つの面を粗い面にしてもよい。
【図面の簡単な説明】
【図１】最新技術におけるロックアップクラッチの軸方向の断面図である。
【図２】図１の一部の拡大切り抜き図であり、タングの他方の端を締め付ける手段を詳細に示す。
【図３】図３は、タングを保持するアタッチメント中間部材を示し、タングの他方の端が締め付けられる手段が示されている。図３は、本発明の一つの実施態様を示している。
【図４】図３の線４−４の断面から見た詳細拡大図である。
【図５】図３の線５−５の断面から見た詳細拡大図である。
【図６】図３から図５で示す摩擦ウェッジの一つの拡大正面図である。
【図７】図６の線７−７についての断面図である。
【図８】図７の線８−８についての断面図である。
【図９】本発明の他の実施態様におけるロックアップクラッチの軸方向断面図の半分図である。
【図１０】図５に類似した図であり、本発明の第２の実施態様を示す。
【図１１】図４と同様の断面図で、同じ第２の実施態様を示す。
【図１２】タングのピストンへの締付けを示す切り抜き図であり、本発明の第３の実施態様を示し、摩擦ウェッジが挿入されており、通孔がトラバース固定壁に設けられている。
【符号の説明】
１１    摩擦ライナー
１２    トラバース固定壁
１３    ピストン
１４    ケーシング要素
１５    サポートプレート
１９    ねじり振動止め装置
２０    中心ノーズ
２１    スリーブ
２２    当接ボス
２３    固定壁
２４    表面
２５    コントロールチャンバ
２６    半径方向通路
２７    通孔
２８    中心孔
３０    タング
３０Ａ    タングの一方の端
３０Ｂ    タングの他方の端
３２    中間部材
３３    リベット
３５    リベット
３６    締め付け手段
３６Ａ    第１部分
３６Ｂ    第２部分
３７、３８    通孔
４０    シャンク
４１    頭部
４５    つば部
４６、４７    接合面
４８    サブアセンブリ
５２    外側面
５４    タングの内側面
６０    摩擦ウエッジ
６２    主要部
６４    内側面
６６    外側面
６８    通孔
７０    インデックスアーム
７２    インデックス耳
７４    タングの端
【図１】
0004114727.tif 000002
【図２】
0004114727.tif 000003
【図３】
0004114727.tif 000004
【図４】
0004114727.tif 000005
【図５】
0004114727.tif 000006
【図６】
0004114727.tif 000007
【図７】
0004114727.tif 000008
【図８】
0004114727.tif 000009
【図９】
0004114727.tif 000010
【図１０】
0004114727.tif 000011
【図１１】
0004114727.tif 000012
【図１２】
0004114727.tif 000013